【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
水面から一定の深さを有し底部に津波に耐えうる重量と水面上高さが１５メートル以上の空気層及び鎖を繋ぐ筒を有する誘導浮体部材の複数個を結合部材により結合された複数の前記誘導浮体部材
及び
前記誘導浮体部材の深さより大きな深さの底部接触部を備えると共に所定の幅と津波を防止するための長さで表面或いは表面及び裏面に浮体を有する浮体防波堤部を備えた津波対策浮体部材の複数の前記浮体防波堤部の水面上の高さを交互に変更し前記所定の幅より短い幅で前記複数の誘導浮体部材により固定された複数の前記津波対策浮体部材
を具備し、
複数の前記誘導浮体部材の筒と複数の前記浮体防波堤部が鎖により繋がられ複数の前記浮体防波堤部の水面上の高さを交互に変更し前記所定の幅より短い幅で前記複数の誘導浮体部材により固定された前記複数の津波対策浮体部材が前記複数の誘導浮体部材に誘導されて津波により移動し複数の前記底部接触部と海底面が接触することにより前記複数の誘導浮体部材により固定された複数の前記浮体防波堤部が水面から所定の高さを備えた複数の前記誘導浮体部材まで津波により回転した後、岸に近づくと前記複数の誘導浮体部材により固定された複数の前記浮体防波堤部が防波堤となることを特徴とする鎖状津波対策浮体装置。
【請求項２】
水面から一定の深さを有し底部に津波に耐えうる重量と水面上高さが１５メートル以上の空気層及び鎖を繋ぐ筒を有する誘導浮体部材の複数を結合部材により結合された複数の前記誘導浮体部材
及び
前記誘導浮体部材の深さより大きな深さの底部接触部を備えると共に所定の幅と津波を防止するための長さで表面或いは表面及び裏面に浮体を有し前記誘導浮体部材と鎖により繋がれた浮体防波堤部を備えた津波対策浮体部材の複数の前記浮体防波堤部の水面上の高さを交互に変更し前記所定の幅より短い幅で前記複数の誘導浮体部材により固定された複数の前記津波対策浮体部材
を具備し、
複数の前記誘導浮体部材の前記筒と複数の前記浮体防波堤部が鎖により繋がられ複数の前記浮体防波堤部の水面上の高さを交互に変更し前記所定の幅より短い幅で前記複数の誘導浮体部材により固定された前記複数の津波対策浮体部材が前記複数の誘導浮体部材に誘導されて津波により移動し複数の前記底部接触部と海底面が接触することにより前記複数の誘導浮体部材により固定された複数の前記浮体防波堤部が水面から所定の高さを備えた複数の前記誘導浮体部材まで津波により回転した後、岸に近づくと前記複数の誘導浮体部材により固定された前記複数の浮体防波堤部が防波堤となることを特徴とする鎖状津波対策浮体装置。

【請求項３】
水面から一定の深さを有し底部に津波に耐えうる重量と海面上高さが１５メート ル以上の空気層及び鎖を繋ぐ筒を有する誘導浮体部材の複数個を結合部材により結合された複数の前記誘導浮体部材
及び  
前記誘導浮体部材の深さより大きな深さの底部接触部と所定の幅と15メートル以上の津波を防止するための深さを備えた垂直防波堤部を備えると共に所定の幅と津波による更なる回転を阻止するための長さで表面或いは表面及び裏面に浮体を有する浮体回転阻止部を備えた津波対策浮体部材の複数の前記垂直防波堤部の位置を交互に変更し前記所定の幅より短い幅で前記複数の誘導浮体部材により固定された複数の前記津波対策浮体部材  
を具備し、
複数の前記誘導浮体部材の前記筒と複数の前記浮体回転阻止部とが鎖により繋がられ複数の前記垂直防波堤部の位置を交互に変更し前記所定の幅より短い幅で複数の前記誘導浮体部材により固定された前記複数の津波対策浮体部材が津波により移動し複数の前記底部接触部と海底面が接触することにより複数の浮体回転阻止部が水面から所定の高さを備えた複数の前記誘導浮体部材まで津波により回転して岸に近づいた後、前記複数の津波対策浮体部材が水面から所定の高さを備えた前記複数の誘導浮体部材まで津波により回転し前記複数の浮体回転阻止部が地面に移動するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする 鎖状津波対策浮体装置。
【請求項４】
水面から一定の深さを有し底部に津波に耐えうる重量と海面上高さが1５メートル以上の空気層と鎖を繋ぐ筒を有する誘導浮体部材の複数を結合部材により結合された複数の前記誘導浮体部材
及び
前記誘導浮体部材の深さより大きな深さの底部接触部と所定の幅と15メートル以上の津波を防止するための深さを備えた垂直防波堤部を備えると共に所定の幅と津波による更なる回転を阻止するための長さで表面或いは表面及び裏面に浮体を有し前記誘導浮体部材と鎖により繋がれた浮体回転阻止部を備えた津波対策浮体部材の複数の前記垂直防波堤部の位置を交互に変更し前記所定の幅より短い幅で複数の前記誘導浮体部材により固定された複数の前記津波対策浮体部材を
具備し、
複数の前記誘導浮体部材により前記津波対策浮体部材の複数の前記垂直防波堤部の位置を交互に変更し所定の幅より短い幅で固定部材により複数の前記誘導浮体部材を固定するとともに複数の誘導浮体部材の前記筒と複数の前記浮体回転阻止部とが鎖により繋がられた複数の前記津波対策浮体部材が前記複数の誘導浮体部材の誘導で津波により移動し複数の前記底部接触部と海底面が接触することにより複数の浮体回転阻止部が前記複数の誘導浮体部材まで津波により回転した後、岸に近づくと前記複数の津波対策浮体部材が水面から所定の高さを備えた前記複数の誘導浮体部材まで津波により回転し前記複数の浮体回転阻止部が地面に移動するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする鎖状津波対策浮体装置。
【請求項５】
複数の前記底部接触部が500メートル以上の深さを有することを特徴とする請求項1〜４のいずれか1項記載の鎖状津波対策浮体装置。  
【請求項６】
複数の前記底部接触部が500メートル以上の深さを有し前記複数の誘導浮体部材が沖合に近づき複数の前記底部接触部が海底面に接触することにより複数の前記浮体防波堤部が水面から所定の高さを備えた前記複数の誘導浮体部材まで沖合にて津波により回転し岸に近づいた後、前記複数の誘導浮体部材により固定された複数の前記浮体防波堤部が防波堤となることを特徴とする請求項１〜２のいずれか1項に記載の鎖状津波対策浮体装置。
【請求項７】
複数の前記底部接触部が500メートル以上の深さを有し複数の前記誘導浮体部材の前記筒と複数の前記浮体回転阻止部とが鎖により繋がられた前記複数の津波対策浮体部材が前記複数の誘導浮体部材の誘導により沖合に近づくと複数の前記底部接触部と海底面が接触することにより複数の前記浮体回転阻止部が前記複数の誘導浮体部材まで津波により回転して岸に近づいた後、前記複数の津波対策浮体部材が津波により回転し複数の前記浮体回転阻止部が地面に移動するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする 請求項３或いは請求項４記載の鎖状津波対策浮体装置。
【手続補正２】
【補正対象書類名】明細書
【補正対象項目名】０００６
【補正方法】変更
【補正の内容】
【０００６】
本発明の津波対策浮体装置は、水面から一定の深さを有する誘導浮体部材及び前記誘導浮体部材と鎖によりつながれ前記誘導浮体部材の深さより深い深さの接触部を備えると共に所定の幅と長さ或いは深さを有する防波堤部を備えた津波対策浮体部材を具備し、岸に近づいたとき津波対策浮体部た津波対策浮体部材の材が回転して防波堤になることを特徴とする。
請求項1の鎖状津波対策浮体装置は、  水面から一  定の深さを有し底部に津波に耐えうる重量と水面上高さが１５メートル以上の空気層及び鎖を繋ぐ筒を有する誘導浮体部材の複数個を結合部材により結合された複数の前記誘導浮体部材  及び  前記誘導浮体部材の深さより大きな深さの底部接触部を備えると共に所定の幅と津波を防るための長さで表面或いは表面及び裏面に浮体を有する浮体防波堤部を備えた津波対策浮体部材の複数の前記浮体防波堤部の水面上の高さを交互に変更し前記所定の幅より短い幅で前記複数の誘導浮体部材により固定された複数の前記津波対策浮体部材  を具備し、複数の前記誘導浮体部材の前記筒と複数の前記浮体防波堤部が鎖により繋がられ複数の前記浮体防波堤部の水面上の高さを交互に変更し前記所定の幅より短い幅で前記複数の誘導浮体部材により固定された前記複数の津波対策浮体部材が前記複数の誘導浮体部材に誘導されて津波により移動し複数の前記底部接触部と海底面が接触することにより複数の前記浮体防波堤部が水面から所定の高さを備えた複数の前記誘導浮体部材まで津波により回転した後、岸に近づくと前記複数の誘導浮体部材により固定された複数の前記浮体防波堤部が防波堤となることを特徴とする。
請求項２の鎖状津波対策浮体装置は、  水面から一定の深さを有し底部に津波に耐えうる重量と水面上高さが１５メートル以上の空気層及び鎖を繋ぐ筒を有する誘導浮体部材の複数を結合部材により結合された複数の前記誘導浮体部材  及び  前記誘導浮体部材の深さより大きな深さの底部接触部を備えると共に所定の幅と津波を防止するための長さで表面或いは表面及び裏面に浮体を有し前記誘導浮体部材と鎖により繋がれた浮体防波堤部を備えた津波対策浮体部材の複数の前記浮体防波堤部の水面上の高さを交互に変更し前記所定の幅より短い幅で前記複数の誘導浮体部材により固定された複数の前記津波対策浮体部材  を具備し、複数の前記誘導浮体部材の前記筒と複数の前記浮体防波堤部が鎖により繋がられ複数の前記浮体防波堤部の水面上の高さを交互に変更し前記所定の幅より短い幅で複数の前記津波対策浮体部材が前記複数の誘導浮体部材に誘導されて津波により移動し複数の前記底部接触部と海底面が接触前記複数の誘導浮体部材により固定されたすることにより前記複数の誘導浮体部材により固定された複数の前記浮体防波堤部が水面から所定の高さを備えた複数の前記誘導浮体部材まで津波により回転して岸に近づいた後、前記複数の誘導浮体部材により固定された前記複数の浮体防波堤部が防波堤となることを特徴とする  。
請求項3に記載の鎖状津波対策浮体装置は、 “水面から一定の深さを有し底部に津波に耐えうる重量と海面上高さが１５メートル以上の空気層及び鎖を繋ぐ筒を有する誘導浮体部材の複数個を結合部材により結合された複数の前記誘導浮体部材  及び  前記誘導浮体部材の深さより大きな深さの底部接触部と所定の幅と15メートル以上の津波を防止するための深さを備えた垂直防波堤部を備えると共に所定の幅と津波による更なる回転を阻止するための長さで表面或いは表面及び裏面に浮体を有する浮体回転阻止部を備えた津波対策浮体部材の複数の前記垂直防波堤部の位置を交互に変更し前記所定の幅より短い幅で前記複数の誘導浮体部材により固定された複数の前記津波対策浮体部材    を具備し、  複数の前記誘導浮体部材の前記筒と複数の前記浮体回転阻止部とが鎖により繋がられ複数の前記垂直防波堤部の位置を交互に変更し前記所定の幅より短い幅で前記複数の誘導浮体部材により固定された前記複数の津波対策浮体部材が津波により移動し複数の前記底部接触部と海底面が接触することにより水面から所定の高さを備えた複数の前記浮体回転阻止部が水面から所定の高さを備えた複数の前記誘導浮体部材まで津波により回転して岸に近づいた後、津波により前記複数の浮体回転阻止部が地面に移動することにより前記複数の津波対策浮体部材が回転するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする。
請求項４に記載の鎖状津波対策浮体装置は、水面から一定の深さを有し底部に津波に耐えうる重量と海面上高さが1５メートル以上の空気層と鎖を繋ぐ筒を有する誘導浮体部材の複数を結合部材により結合された複数の前記誘導浮体部材  及び  前記誘導浮体部材の深さより大きな深さの底部接触部と所定の幅と15メートル以上の津波を防止するための深さを備えた垂直防波堤部を備えると共に所定の幅と津波による更なる回転を阻止するための長さで表面或いは表面及び裏面に浮体を有し前記誘導浮体部材と鎖により繋がれた浮体回転阻止部を備えた津波対策浮体部材の複数の前記垂直防波堤部の位置を交互に変更し前記所定の幅より短い幅で前記複数の誘導浮体部材により固定された複数の前記津波対策浮体部材を  具備し、  複数の前記津波対策浮体部材の複数の前記垂直防波堤部の位置を交互に変更し前記所定の幅より短い幅で固定部材により前記複数の誘導浮体部材を固定するとともに複数の前記誘導浮体部材の前記筒と複数の前記浮体回転阻止部とが鎖により繋がられた前記複数の津波対策浮体部材が前記複数の誘導浮体部材の誘導で津波により移動し複数の前記底部接触部と海底面が接触することにより水面から所定の高さを備えた複数の前記浮体回転阻止部が複数の前記誘導浮体部材まで津波により回転した後、岸に近づくと津波により前記複数の浮体回転阻止部が地面に移動することにより前記複数の津波対策浮体部材が回転するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする  。
請求項５に記載の鎖状津波対策浮体装置は、  複数の前記底部接触部が500メートル以上の深さを有することを特徴とする請求項1〜４のいずれか1項記載の鎖状津波対策浮体装置である  。
請求項6記載の鎖状津波対策浮体装置は、  複数の前記底部接触部が500メートル以上の深さを有し前記複数の誘導浮体部材が沖合に近づき複数の前記底部接触部が海底面に接触することにより水面から所定の高さを備えた前記複数の誘導浮体部材まで前記複数の誘導浮体部材により固定された前記複数の津波対策浮体部材の浮体防波堤部が複数の前記誘導浮体部材まで沖合にて津波により回転し岸に近づいた後、前記複数の誘導浮体部材により固定された前記複数の浮体防波堤部が防波堤となることを特徴とする請求項１〜２のいずれか1項に記載の鎖状津波対策浮体装置である。
請求項７に記載の鎖状津波対策浮体装置は、  複数の前記底部接触部が500メートル以上の深さを有し複数の前記誘導浮体部材の複数の前記筒と複数の前記浮体回転阻止部とが鎖により繋がられた前記複数の津波対策浮体部材が前記複数の誘導浮体部材の誘導により沖合に近づくと複数の前記底部接触部と海底面が接触することにより複数の前記津波対策浮体部材が前記複数の誘導浮体部材まで津波により回転して岸に近づいた後、津波により前記複数の浮体回転阻止部が地面に移動することにより前記複数の津波対策浮体部材が回転するとともに前記複数の誘導浮体部材が移動して前記複数の誘導浮体部材により固定された前記複数の垂直防波堤部が防波堤となり前記複数の浮体回転阻止部が前記複数の津波対策浮体部材の更なる回転を阻止することを特徴とする 請求項３或いは請求項４記載の鎖状津波対策浮体装置である。